(57)【要約】【課題】本発明の課題は、受話音量の設定の要因の内、通信相手の通話者に起因する受話音量の設定を自動化し、操作者が行う受話音量の設定の負担を軽減する電話機を提供することにある。【解決手段】受話音量を設定した通信履歴格納部１０を設け、通信開始時に、通信相手の電話番号１０ａを判断し、この電話番号１０ａに対応して記憶された所定の受話音量設定値１０ｂでもって、受話音量を設定する。【選択図】　図１
2004120288.tif 000002
【特許請求の範囲】
【請求項１】
電話番号と、この電話番号に対応した受話音量値を記憶する第１の記憶手段と、
通常の受話音量値を記憶する第２の記憶手段と、
通話相手の電話番号が前記第１の記憶手段に記憶されている電話番号と一致した場合に当該電話番号に対応して記憶されている前記受話音量を設定し、一致する電話番号がない場合に前記第２の記憶手段に記憶されている前記通常の受話音量を設定する設定手段と
を具備することを特徴とする電話機。
【請求項２】
移動電話機の電話番号と、この電話番号に対応した受話音量値を記憶する第１の記憶手段と、
通常の受話音量値を記憶する第２の記憶手段と、
通話相手の電話番号が前記第１の記憶手段に記憶されている電話番号と一致した場合に当該電話番号に対応して記憶されている前記受話音量を設定し、一致する電話番号がない場合に前記第２の記憶手段に記憶されている前記通常の受話音量を設定する設定手段と
を具備することを特徴とする電話機。
【請求項３】
前記第１の記憶手段は、
着呼にかかる電話番号を記憶する着信履歴領域と、
発呼した電話番号を記憶する発呼履歴領域と、
ユーザによって登録された電話番号を記憶する電話帳領域とからなり、
少なくとも一つの領域に記憶されている電話番号に対して受話音量値が記憶されていることを特徴とする請求項１又は請求項２に記載の電話機。
【請求項４】
前記第１の記憶手段に記憶されている受話音量値を変更する受話音量変更手段とを更に具備することを特徴とする請求項１又は２に記載の電話機。
【請求項５】
前記受話音量変更手段は、通信終了時に前記変更した受話音量設定値を前記第１の記憶手段の当該電話番号に記憶することを特徴とする請求項４記載の電話機。
【発明の詳細な説明】
【０００１】
【発明の属する技術分野】
本発明は、移動電話機や固定電話機等の電話機に関するもので、詳しくは電話機の受話音量の設定方法に関する。
【０００２】
【従来の技術】
図６は、一般的な携帯電話機のブロック図（図６（ａ））および受信フレーム（図６（ｂ））を示し、図７は、図６のメモリ５４内の共通受話音量格納部５４ａを示す。以下、図６、図７を参照して従来の携帯電話機について説明する。
【０００３】
電話をかける場合は、操作者はキー入力部５１内の番号キー（図示せず）を操作して通信相手の電話番号を入力すると、制御部５２は、その入力される電話番号を表示部５３に表示する。
【０００４】
そして、通信キー（図示せず）を押すと、制御部５２は入力された電話番号を送信部５５へ送り、送信部５５は送信処理を行い、送信信号を送受切替部５６を経由して、アンテナ５７へ送出する。また、送信の履歴を残すメモリ５４内の送信履歴格納部（図示せず）に記憶させる。通信相手が電話に出たら、操作者は通話を始める。
【０００５】
電話を受ける場合は、待ち受け状態において、受信信号はアンテナ５７、送受切替部５６、受信部５８を経由して制御部５２へ導かれる。
【０００６】
制御部５２は受信信号の着信を検出し、サウンダ等（図示せず）を起動して呼び出し音を鳴らす。また、通信相手が通信相手自身の電話番号を通信先に通知することを許可している状態であれば、図６（ｂ）の受信フレーム中に通信相手の電話番号が含まれるので、その電話番号を読みとって表示部５３に表示すると共に、受信の履歴を残すメモリ５４内の受信履歴格納部（図示せず）に記憶させる。
【０００７】
操作者は呼び出し音が鳴ったら、キー入力部５１内の通信キーを押して通話を始める。通話中の送話は、マイクロフォン５９、音声コーデック６０、送信部５５、送受切替部５６を経由して、アンテナ５７へ送出される。また、受話は、アンテナ５７、送受切替部５６、受信部５８、音声コーデック６０、増幅器６１を経由して、スピーカ６２で受ける。
【０００８】
この受話の音量は、操作者がキー入力部５１内の受話音量キー（図示せず）の操作に応答して、制御部５２はゲイン信号６３で増幅器６１のゲインを可変して、受話音量を決定する。
【０００９】
この電話機の受話音量の設定は、いろいろな要因で操作者が行う。例えば、周囲騒音が大きいときには、受話音量を大きくするし、深夜等の静かな環境では、受話音量を小さくする。
【００１０】
また、これらの周囲環境ではなく、通信相手の通話者の声量が小さい時や、聞き取りにくい声質の場合にも受話音量を大きくする必要がある。
【００１１】
この受話音量を制御するために、メモリ５４の共通受話音量格納部５４ａには共通受話音量設定値Ｃが記憶されている。
【００１２】
操作者がキー入力部５１内の受話音量キーで音量増加を指示すると、制御部５２はメモリ５４内の共通受話音量格納部５４ａに設定されている共通受話音量設定値Ｃを増加させる。もし、音量低下を指示すると、共通受話音量設定値Ｃを減少させる。次に、制御部５２は、このメモリ５４の共通受話音量設定値Ｃをゲイン信号６３として、増幅部６１のゲインを可変して、スピーカ６２の受話音量を可変する。
【００１３】
ここで、共通受話音量設定値Ｃは、携帯電話機の電源が切られた後も、この値が記憶されており、次に電源を入れた時、前回の共通受話音量設定値Ｃが初期値として使用され、その後の受話音量キーの増減操作によってまた可変されることになる。
【００１４】
【発明が解決しようとする課題】
上述した携帯電話機の受話音量の設定においては、通信状況におけるいろいろな要因によって、その都度可変されることになる。しかしながら、従来では共通受話音量格納部５４ａには共通受話音量設定値Ｃしか記憶されておらず、通信状況におけるいろいろな要因によって、自動的にその都度音量を可変することが出来ない問題があった。
【００１５】
本発明の目的は、上記問題点を解決するためになされたもので、通信相手の通話者に起因する受話音量の設定を自動化し、操作者が行う受話音量の設定の負担を軽減する電話機および電話機の受話音量設定方法を提供することにある。
【００１６】
【課題を解決するための手段】
上記目的を達成するために、本発明の電話機は、電話番号と、この電話番号に対応した受話音量値を記憶する第１の記憶手段と、通常の受話音量値を記憶する第２の記憶手段と、通話相手の電話番号が前記第１の記憶手段に記憶されている電話番号と一致した場合に当該電話番号に対応して記憶されている前記受話音量を設定し、一致する電話番号がない場合に前記第２の記憶手段に記憶されている前記通常の受話音量を設定する設定手段とを具備することを特徴とする。
【００１７】
また、移動電話機の電話番号と、この電話番号に対応した受話音量値を記憶する第１の記憶手段と、通常の受話音量値を記憶する第２の記憶手段と、通話相手の電話番号が前記第１の記憶手段に記憶されている電話番号と一致した場合に当該電話番号に対応して記憶されている前記受話音量を設定し、一致する電話番号がない場合に前記第２の記憶手段に記憶されている前記通常の受話音量を設定する設定手段とを具備することを特徴とする。
【００１８】
【発明の実施の形態】
以下、本発明の実施の形態を図面を参照して説明する。
【００１９】
（第１の実施の形態）
図１〜図３は、本発明を携帯電話機に適用した第１の実施の形態を示し、図１は、メモリに設けた通信履歴および受話音量の格納状態を示す図。図２および図３は、第１の実施の形態の動作を説明するフローチャート図である。
【００２０】
なお、携帯電話機の基本構成は図６と同じであるので、その説明は省略するが、基本構成は何ら変わるものではない。
【００２１】
図１に示すように、本発明の第１の記憶手段として、通信履歴格納部１０（図６のメモリ５４内に設けられる）には、送信および受信に無関係に通信実績のある通信相手の電話番号１０ａと、その電話番号１０ａ毎に対応して所定の受話音量設定値１０ｂが記憶され、例えば電話番号１に対応して受話音量設定値１、電話番号２に対応して受話音量設定値２というように記憶される。
【００２２】
ここで電話番号１０ａは重複しないように記憶されており、同じ電話番号との通信実績が複数回ある場合は、最新の通信実績の受話音量設定値１０ｂが上書き記憶されている。
【００２３】
また、メモリ５４内に設けられる第２の記憶手段としての共通受話音量格納部１１には、通信実績のない電話番号用の共通の共通受話音量設定値Ｃが記憶される。
【００２４】
これらの操作手順を図２および図３のフローチャート、ならびに図６を用いて説明する。
【００２５】
図２は、通信開始時の手順であり、送信時は、キー入力部５１から入力された電話番号を制御部５２が確認する。また、受信時は、アンテナ５７、送受切替部５６、受信部５８を経由してきた受信フレーム中の電話番号を制御部５２が確認する（ステップＳ１）。
【００２６】
次に、電話番号が判断可能かチェックする（ステップＳ２）。送信の場合は相手の電話番号を確実に判断できるが、受信の場合は、通信相手が通信相手自身の電話番号を通信先に通知することを許可している状態であれば、図６（ｂ）の受信フレーム中に通信相手の電話番号が含まれるので、その電話番号を判断できる。電話番号を通信先に通知することを許可していない状態では、受信フレーム中に通信相手の電話番号が含まれないので、相手の電話番号は判断できない。ここで電話番号が判断できた場合はステップＳ３に進み、判断できない場合はステップＳ７に進む。
【００２７】
次に、相手の電話番号が移動電話機からの発信か固定電話機からの発信であるか否かを判断する（ステップＳ３）。この判断方法は、一例として局番で判断できる。ここで移動電話機の場合は、ステップＳ４に進み、固定電話機であればステップＳ７に進む。
【００２８】
次に、相手の電話番号が図１の通信履歴格納部１０に登録されているか否かをサーチして、判定を行う（ステップＳ４）。この判定でＹＥＳの場合は、ステップＳ５に進み、ＮＯの場合はステップＳ６に進む。
【００２９】
ステップＳ５では、通信履歴内の該当電話番号の受話音量設定値で受話音量を設定する。すなわち、メモリ５４内の通信履歴格納部１０の該当電話番号が、例えば電話番号３であれば、これに対応する所定の受話音量設定値３を読み出して、図６のゲイン信号６３として増幅器６１へ出力し、この増幅器６１のゲインを可変して、スピーカ６２の出力の受話音量を制御する。
【００３０】
ステップＳ６では、この電話番号を通信履歴に追加する。すなわち、メモリ５４内の通信履歴格納部１０に新たな電話番号欄と受話音量設定値欄として、例えば、電話番号Ｎの欄の下に電話番号Ｎ＋１の欄を設けることになる。その処理の後、前述のステップＳ７に進む。
【００３１】
ステップＳ７では、共通受話音量格納部の共通受話音量設定値で受話音量を設定する。すなわち、メモリ５４内の共通受話音量格納部１１の共通の共通受話音量設定値Ｃを読み出して、図６のゲイン信号６３として増幅器６１へ出力し、この増幅器６１のゲインを可変して、スピーカ６２の出力の受話音量を制御する。
【００３２】
次に、図３は通信中の手順であり、通信中は、キー入力部５１から入力される受話音量キーの操作の有無を常に監視する（ステップＳ１０）。操作有りの場合、ステップＳ１１以下に進み、受話音量の設定が行われる。操作無しの場合、何も行われずに最初のステップＳ１０へ戻る。
【００３３】
ステップＳ１１〜ステップＳ１４は、前述の図２のステップＳ１〜ステップＳ４と同じであるので、その説明は省略する。
【００３４】
ステップＳ１３で移動電話機であると判断されると、その電話番号は通信履歴格納部１０に登録されているか否かがチェックされる（ステップＳ１４）。そこに当該電話番号が登録されていればステップＳ１５に進み、なければステップＳ１７に進む。
【００３５】
そして、ステップＳ１５では、受話音量キーの増減の指示により、通信履歴内の該当電話番号の所定の受話音量設定値を変更する。次に、ステップＳ１６では、当該電話番号の受話音量設定値を読み出して、図６のゲイン信号６３として増幅器６１へ出力し、この増幅器６１のゲインを可変して、スピーカ６２の出力の受話音量を制御する。それが終わると最初のステップＳ１０へ戻る。
【００３６】
ステップＳ１２でＮＯ、ステップＳ１３で固定電話機、およびステップＳ１４でＮＯと判断された場合は、受話音量キーの増減の指示により、共通受話音量格納部１１の共通の受話音量設定値を変更する（ステップＳ１７）。次に、ステップＳ１８では、当該受話音量設定値を読み出して、図６のゲイン信号６３として増幅器６１へ出力し、この増幅器６１のゲインを可変して、スピーカ６２の出力の受話音量を制御する。それが終わると最初のステップＳ１０へ戻る。
【００３７】
通信中は受話音量キーの操作が有る都度、以上の処理が行われるので、通信終了時には、通信中の最終時点の受話音量キーの操作に基づく受話音量設定値が、通信履歴格納部１０の該当電話番号の所定の受話音量設定値、又は共通受話音量格納部１１の共通の受話音量設定値として記憶される。
【００３８】
そして、そこで記憶された通信終了時の受話音量設定値に基づき、次の通信開始時に図２の処理により受話音量が設定される。
【００３９】
なお、第１の実施の形態において、図２のステップＳ３および図３のステップＳ１３を除いて、相手の電話機が移動電話機か固定電話機であるかに関係なく、すべての電話機に関して上述の処理を行うようにしてもよい。
【００４０】
上述した第１の実施の形態の移動電話機では、電話番号と通話者がほぼ１対１に対応することを利用して、通信相手の電話番号を判断し、この電話番号毎に受話音量を設定することにより、通信相手の通話者の声量や声質に起因する受話音量の設定を自動化し、操作者が行う受話音量の設定の負担を軽減することができる。
【００４１】
また、通信相手が移動電話機の場合は、通話者が移動電話機を持ち歩くので、更に電話番号と通話者が１対１に対応することを利用して、通信相手が移動電話機であることを判断し、この電話番号毎に受話音量を設定することにより、通信相手の移動電話機の通話者の声量や声質に起因する受話音量の設定を自動化し、操作者が行う受話音量の設定の負担を軽減することができる。
【００４２】
（第２の実施の形態）
図４〜図５は、本発明を携帯電話機に適用した第２の実施の形態を示し、図４は、メモリ５４内に設けた送信履歴および受話音量の格納部を示す図。図５は、同じくメモリ５４内に設けた電話帳および受話音量の格納部を示す図である。
【００４３】
これらは、従来からある送信履歴や電話帳の格納部に受話音量設定値欄を併設することで設けられる。
【００４４】
図４は、メモリ５４内の送信履歴の電話番号欄に、個々の電話番号２０ａ毎に対応して受話音量設定値２０ｂが記憶され、第１の記憶手段の１つの送信履歴格納部２０（発呼履歴領域）としている。
【００４５】
ここでは、送信履歴であるため同一の電話番号が重複して記録されることがあり、２０ｂと２０ｃのように同一の電話番号１に対応して、通信時の所定の受話音量設定値がそれぞれ受話音量設定値１ａ、受話音量設定値１ｂとして記録される。
【００４６】
また、メモリ５４内に設けられる第２の記憶手段としての共通受話音量格納部２１には、図３と同様に通信実績のない電話番号用の共通の共通受話音量設定値Ｃが記憶される。
【００４７】
また、図示しないが、メモリ５４内に、図４の送信履歴格納部２０と同様の受信履歴格納部（着信履歴領域）を設け、第１の記憶手段の１つとすることができる。
【００４８】
図５は、メモリ５４内の電話帳の電話番号欄に、個々の電話番号３０ａ毎に対応して受話音量設定値３０ｂが記憶され、第１の記憶手段の１つの電話帳格納部３０（電話帳領域）としている。
【００４９】
ここでは、電話帳であるため通信実績があるものとないものがあり、通信実績があるものについては、３０ｂのように電話番号１に対応して通信時の受話音量設定値１が記録され、通信実績がないものについては、３０ｃのように電話番号２に対応して設定値なしが記録される。
【００５０】
これらの操作手順について、以下、第１の実施の形態と異なるところについて説明する。
【００５１】
図４の送信履歴格納部２０、受信履歴格納部（図示せず）、図５の電話帳格納部３０には、過去の通信時の各電話番号に対応する受話音量設定値が記憶されている。
【００５２】
ここで、まず、図４の送信履歴格納部２０および受信履歴格納部をサーチする。
【００５３】
送信履歴格納部２０のサーチに際し、同一番号が複数記録されている場合は、最新の履歴の部分、例えば、図４の送信履歴格納部２０で電話番号１をサーチしたところ、２０ｂと２０ｃの受話音量設定値が得られるが、最新を２０ｂとすると、受話音量設定値１ａでもって受話音量を決めることになる。最新のものであるか否かは、送信履歴の送信日時によって容易に判別される。
【００５４】
送信履歴格納部２０および受信履歴格納部は、保存できる件数が限られていることが多いので、これらをサーチしても該当の電話番号が見当たらない場合は、次に図５の電話帳格納部３０をサーチする。
【００５５】
同様に、電話帳格納部３０に対して、電話番号１をサーチして、３０ｂの受話音量設定値１が得られる。つまり通信実績があれば、その通信実績時の受話音量設定値１でもって受話音量を決めることになる。
【００５６】
一方、電話番号２のように、設定値なし３０ｃの状態（受話音量設定値として設計上ありえない数値、例えばＦＦ（Ｈ）が記録）であれば、これはつまり通信実績がないことを意味し、その場合は、図４の共通受話音量格納部２１の共通受話音量設定値Ｃでもって受話音量を決めることになる。
【００５７】
もしくは、設定値なし３０ｃの状態としてＦＦ（Ｈ）を記録するのではなく、通信実績のない欄には共通受話音量設定値Ｃを最初から記録しておいて、通信実績有無の判断をせずに無条件に、この欄の受話音量設定値でもって受話音量を決めれば、結果として、通信実績の有る場合は電話番号個別の受話音量設定値、通信実績の無い場合は共通受話音量設定値が選ばれることになる。
【００５８】
上述したように、従来からある送信履歴、受信履歴、電話帳の格納部に受話音量設定値欄を併設することで第１の記憶手段となし、第１の実施の形態と同様な効果を得ることができる。
【００５９】
なお、上述した各実施例においては、本発明を携帯電話機に適用した実施例を示したが、例えばＰＨＳ端末、あるいは通信機能を備えたＰＤＡ等の携帯電話機以外の各種移動端末装置、また固定電話機においても、本発明を有効に適用し得ることは言うまでもない。
【００６０】
【発明の効果】
このように、本発明によれば、通信相手の通話者の声量や声質に起因する受話音量の設定を自動化し、操作者が行う受話音量の設定の負担を軽減することができる。
【図面の簡単な説明】
【図１】本発明に関わる電話機の第１の実施の形態を示す携帯電話機の通信履歴格納部の図。
【図２】図１に示した携帯電話機の通信開始時におけるフローチャート図。
【図３】図１に示した携帯電話機の通信中におけるフローチャート図。
【図４】本発明に関わる電話機の第２の実施の形態を示す携帯電話機の送信履歴格納部の図。
【図５】本発明に関わる電話機の第２の実施の形態を示す携帯電話機の電話帳格納部の図。
【図６】一般的な携帯電話機のブロック図および受信フレーム図。
【図７】従来の携帯電話機の共通受話音量格納部の図。
【符号の説明】
１０　通信履歴格納部
１１、２１、５４ａ　共通受話音量格納部
２０　送信履歴格納部
３０　電話帳格納部
５１　キー入力部
５２　制御部
５３　表示部
５４　メモリ
５５　送信部
５６　送受切替部
５７　アンテナ
５８　受信部
５９　マイクロフォン
６０　音声コーデック
６１　増幅器
６２　スピーカ
６３　ゲイン信号
【図１】
2004120288.tif 000003
【図２】
2004120288.tif 000004
【図３】
2004120288.tif 000005
【図４】
2004120288.tif 000006
【図５】
2004120288.tif 000007
【図６】
2004120288.tif 000008
【図７】
2004120288.tif 000009